(57)【特許請求の範囲】
【請求項１】
缶胴の開口に取り付けられるパネルと、
前記パネルに設けられたリベットと、
前記パネルの周縁部から前記リベットに向かう一方向に沿って配置されるとともに当該リベットによって当該パネルに固定され、当該パネルを押圧するタブと、
前記パネルに形成され、当該パネルのうちの前記タブにより押圧される押圧部位を囲むように形成された第１のスコア線と、
前記パネルのうちの前記第１のスコア線により囲まれている領域内に形成され、当該領域内に位置する一端を始点として前記一方向と交差する方向に向かって延びるように設けられ他端が当該第１のスコア線に接続された第２のスコア線と、
を有し、
前記第１のスコア線は、一端および他端を有するとともに前記パネルの前記周縁部側に向かって膨らむように形成され、且つ、当該周縁部側に頂部を有し、
前記第２のスコア線の前記他端は、前記第１のスコア線のうちの前記一端と前記頂部との間に位置する部位、または、当該第１のスコア線のうちの前記他端と当該頂部との間に位置する部位に接続していることを特徴とする缶蓋。
【請求項２】
前記第２のスコア線は、前記押圧部位以外の箇所を通るように形成されていることを特徴とする請求項１記載の缶蓋。
【請求項３】
前記第２のスコア線の前記一端側は、前記押圧部位の近傍に配置されていることを特徴とする請求項１又は２に記載の缶蓋。
【請求項４】
前記第２のスコア線は、前記押圧部位よりも前記リベットが設けられている側を通るように形成されていることを特徴とする請求項１乃至３の何れかに記載の缶蓋。
【請求項５】
前記第２のスコア線は、前記押圧部位と前記リベットとの間を通過するように設けられていることを特徴とする請求項４記載の缶蓋。
【請求項６】
前記第２のスコア線は、前記一端から前記他端に向かうに従い、前記リベットを通る直線であって前記一方向と直交する方向に向かう直線から次第に離れることを特徴とする請求項４又は５に記載の缶蓋。
【請求項７】
開口を有し飲料を内部に収容した缶胴と、当該缶胴の当該開口を塞ぐ缶蓋とを有し、
前記缶蓋は、
前記缶胴の前記開口に取り付けられるパネルと、
前記パネルに設けられたリベットと、
前記パネルの周縁部から前記リベットに向かう一方向に沿って配置されるとともに当該リベットによって当該パネルに固定され、当該パネルを押圧するタブと、
前記パネルに形成され、当該パネルのうちの前記タブにより押圧される押圧部位を囲むように形成された第１のスコア線と、
前記パネルのうちの前記第１のスコア線により囲まれている領域内に形成され、当該領域内に位置する一端を始点として前記一方向と交差する方向に向かって延びるように設けられ他端が当該第１のスコア線に接続された第２のスコア線と、
を備え、
前記第１のスコア線は、一端および他端を有するとともに前記パネルの前記周縁部側に向かって膨らむように形成され、且つ、当該周縁部側に頂部を有し、
前記第２のスコア線の前記他端は、前記第１のスコア線のうちの前記一端と前記頂部との間に位置する部位、または、当該第１のスコア線のうちの前記他端と当該頂部との間に位置する部位に接続していることを特徴とする飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
飲料缶に用いられる缶蓋には、一般的にスコア線が設けられており、このスコア線により囲まれている領域がタブにより押圧されることで、スコア線に沿ってパネルの破断が起こり、パネルに開口が形成される。
ここで、パネルのうちのスコア線により囲まれている領域（開口となる領域）が大きい場合や、タブが小さい場合、パネルのうちのタブにより押圧される部位とスコア線との距離が大きくなり、タブからの荷重がスコア線に伝わりにくくなる。そしてこの場合、スコア線の破断が生じにくくなり、パネルに開口を形成する際に要するタブの操作荷重が増大しやすくなる。
本発明の目的は、スコア線により囲まれている領域が大きい場合やタブが小さい場合に生じうるタブの操作荷重の増大を抑制可能な缶蓋等を提供することにある。
【課題を解決するための手段】
【０００５】
本発明が適用される缶蓋は、缶胴の開口に取り付けられるパネルと、前記パネルに設けられたリベットと、前記パネルの周縁部から前記リベットに向かう一方向に沿って配置されるとともに当該リベットによって当該パネルに固定され、当該パネルを押圧するタブと、前記パネルに形成され、当該パネルのうちの前記タブにより押圧される押圧部位を囲むように形成された第１のスコア線と、前記パネルのうちの前記第１のスコア線により囲まれている領域内に形成され、当該領域内に位置する一端を始点として前記一方向と交差する方向に向かって延びるように設けられ他端が当該第１のスコア線に接続された第２のスコア線と、を有する缶蓋である。
【０００６】
ここで、前記第２のスコア線は、前記押圧部位以外の箇所を通るように形成されていることを特徴とすることができる。
また、前記第２のスコア線の前記一端側は、前記押圧部位の近傍に配置されていることを特徴とすることができる。
さらに、前記第２のスコア線は、前記押圧部位よりも前記リベットが設けられている側を通るように形成されていることを特徴とすることができる。
また、前記第２のスコア線は、前記押圧部位と前記リベットとの間を通過するように設けられていることを特徴とすることができる。
さらに、前記第２のスコア線は、前記一端から前記他端に向かうに従い、前記リベットを通る直線であって前記一方向と直交する方向に向かう直線から次第に離れることを特徴とすることができる。
また、前記第１のスコア線は、前記パネルの中央部側および前記周縁部側のうちの当該中央部側に一端および他端を有するとともに当該パネルの当該周縁部側に向かって膨らむように形成され、且つ、当該周縁部側に頂部を有し、前記第２のスコア線の前記他端は、前記第１のスコア線のうちの前記一端と前記頂部との間に位置する部位、または、当該第１のスコア線のうちの前記他端と当該頂部との間に位置する部位に接続していることを特徴とすることができる。
【０００７】
また本発明を飲料缶と捉えた場合、本発明が適用される飲料缶は、開口を有し飲料を内部に収容した缶胴と、当該缶胴の当該開口を塞ぐ缶蓋とを有し、前記缶蓋は、前記缶胴の前記開口に取り付けられるパネルと、前記パネルに設けられたリベットと、前記パネルの周縁部から前記リベットに向かう一方向に沿って配置されるとともに当該リベットによって当該パネルに固定され、当該パネルを押圧するタブと、前記パネルに形成され、当該パネルのうちの前記タブにより押圧される押圧部位を囲むように形成された第１のスコア線と、前記パネルのうちの前記第１のスコア線により囲まれている領域内に形成され、当該領域内に位置する一端を始点として前記一方向と交差する方向に向かって延びるように設けられ他端が当該第１のスコア線に接続された第２のスコア線と、を備えていることを特徴とする飲料缶である。
【発明の効果】
【０００８】
本発明によれば、スコア線により囲まれている領域が大きい場合やタブが小さい場合に生じうるタブの操作荷重の増大を抑制可能な缶蓋等を提供することができる。
【図面の簡単な説明】
【０００９】
【図１】本実施の形態が適用される飲料缶の上面図である。
【図２−１】タブが取り付けられる前のパネルの状態を示した正面図である。
【図２−２】パネルの比較例を示した図である。
【図３】パネルの状態を説明するための図である。
【図４】パネルにて生じる破断を説明するための図である。
【図５】タブが取り付けられた状態のパネルの状態を示した図である。
【図６】パネルの他の構成例を示した図である。
【図７】タブを説明するための図である。
【図８】タブを説明するための図である。
【図９】ユーザによりタブが操作されパネルに開口が形成された際の状態を示した図である。
【図１０】缶蓋の他の構成例を示した図である。
【図１１】溝の形状の一例を示した図である。
【図１２】パネルの比較例を示した図である。
【発明を実施するための形態】
【００１０】
以下、添付図面を参照して、本発明の実施の形態について詳細に説明する。
図１は、本実施の形態が適用される飲料缶１００の上面図である。この飲料缶１００は、同図（Ａ）に示すように、上部に開口を有するとともに下部に底部を有し且つ筒状に形成された容器本体（缶胴）２００と、容器本体２００の開口に取り付けられ容器本体２００の開口を塞ぐ缶蓋３００とを有している。なお飲料缶１００の内部には、清涼飲料、炭酸飲料、アルコール飲料などの飲料が充填（収容）されている。
【００１１】
缶蓋３００は、円盤状に形成され基板として機能するパネル４００を有している。また缶蓋３００は、ユーザにより操作されるタブ５００を有している。ここで、タブ５００は、パネル４００に取り付けられている。また、タブ５００は、一端部および他端部を有し、ユーザにより他端部が操作されることで、パネル４００のうちの予め定められた箇所に対して一端部を押し付け、パネル４００を押圧する。なお本実施形態における缶蓋３００は、飲み口として機能する開口がパネル４００に形成された後もタブ５００がパネル４００に取り付けられた状態を維持するいわゆるステイオンタイプの缶蓋である。
【００１２】
ここで本実施形態では、タブ５００は、パネル４００の中央部（中心）からずれた位置に設けられたリベット９００によってパネル４００に固定されている。付言すると、タブ５００は、パネル４００に対して偏心した状態で設けられたリベット９００によってパネル４００に固定されている。さらに説明すると、パネル４００のうちのタブ５００により押圧される部位よりもパネル４００の中央部側に設けられたリベット９００によって、タブ５００はパネル４００に固定されている。さらにタブ５００は、タブ５００のうちの一端部（先端部５１０）と他端部との間に位置する部位がリベット９００によってパネル４００に固定されている。また本実施形態では、タブ５００は、パネル４００の周縁部からリベット９００に向かう一方向に沿って配置されている。付言すると、タブ５００は第１仮想線ＣＬ１（図２−１参照）に沿うように配置されている。
【００１３】
なお本実施形態では、タブ５００が、パネル４００の中央部からずれた位置に設けられたリベット９００によってパネル４００に固定されている場合を一例に説明するが、タブ５００は、パネル４００の中央部に設けられたリベット９００によってパネル４００に固定することもできる。また、図１（Ａ）では、先端部（タブノーズ）５１０が円弧状に形成されたタブ５００（先端部５１０に曲率が付与され先端部５１０が丸みを帯びたタブ５００）を一例に説明したが、同図（Ｂ）に示すように、タブ５００は略矩形状に形成することもできる。
【００１４】
図２−１は、タブ５００が取り付けられる前のパネル４００の状態を示した正面図である。
パネル４００は、上記のとおり円盤状に形成されている。またパネル４００は、曲げ加工が施された外周縁４１０を有している。本実施形態では、この外周縁４１０と容器本体２００の上縁部（不図示）とが互いに接触した状態で、この外周縁４１０および上縁部に対しいわゆる巻き締め加工が施される。これにより、パネル４００が容器本体２００の上縁部に固定される。またパネル４００には、タブ５００がパネル４００に固定される際に押しつぶされ上述したリベット９００となる突出部（ニップル）４２０が形成されている。ここでこの突出部４２０は、パネル４００の中心部ＣＰから外れた箇所に設けられている。
【００１５】
また本実施形態では、パネル４００の表面に、第１スコア線４３０が形成されている。この第１スコア線４３０は、パネル４００のうちのタブ５００により押圧される領域ＲＡ（タブ５００により押圧される押圧部位）を囲むように形成されている。付言すると、第１スコア線４３０は、領域ＲＡの周囲に形成されている。また第１スコア線４３０は、パネル４００の表面に形成された溝により構成されており、パネル４００の破断を誘導する役割を果たす。付言すると、第１スコア線４３０は、パネル４００の破断が予定されている破断予定線として捉えることができる。また第１スコア線４３０は、パネル４００の外周縁（周縁）４１０側に向かって膨らむように形成され、パネル４００を正面から眺めた場合に略Ｕ字状に形成されている。さらに第１スコア線４３０は、パネル４００の中心部ＣＰ側に一端部４３１および他端部４３２を有し、パネル４００の外周縁（周縁）４１０側に頂部４３３Ａを有している。
【００１６】
ここで、第１スコア線４３０の一端部４３１は、パネル４００の中心部ＣＰとパネル４００に形成された突出部４２０とを結ぶ第１仮想線ＣＬ１の一方側に配置されている。また他端部４３２は、第１仮想線ＣＬ１を挟み上記一端部４３１が設けられている側とは反対側に設けられている。また、一端部４３１および他端部４３２が互いに離れた状態で設けられることによって、一端部４３１と他端部４３２との間には、第１スコア線４３０が設けられていない不連続部が設けられた状態となっている。この不連続部が設けられることによって、第１スコア線４３０にて生じるパネル４００の破断により形成される舌片部がパネル４００から離脱せず舌片部がパネル４００に取り付いたままの状態となる。
【００１７】
また、上記第１仮想線ＣＬ１と直交する仮想線であって突出部４２０を通る第２仮想線ＣＬ２を想定した場合に、上記一端部４３１および他端部４３２は、この第２仮想線ＣＬ２よりもパネル４００の中心部ＣＰ側に設けられている。付言すると、図１において、一端部４３１および他端部４３２は、リベット９００よりも上方に設けられている。また上記第１仮想線ＣＬ１と直交する仮想線であってパネル４００の中心部ＣＰを通る第３仮想線ＣＬ３を挟んで相対する２つの領域のうちの一方の領域内に頂部４３３Ａが設けられ、他方の領域内に一端部４３１および他端部４３２が設けられている。さらに、この一方の領域内に、突出部４２０が設けられている。突出部４２０をこのように一方の領域内に設けた場合、突出部４２０をパネル４００の中心部ＣＰに設ける場合に比べ、上記舌片部を曲げる際に要する操作荷重が小さくなる。
【００１８】
さらに説明すると、リベット９００となる突出部４２０は、パネル４００のうちの第１スコア線４３０により囲まれている部位であって、第１スコア線４３０の一端部４３１および他端部４３２よりも頂部４３３Ａ側に位置する部位に設けられている。また第１スコア線４３０は、図２−１に示すように湾曲部４３３を有している。この湾曲部４３３は、一端部４３１と他端部４３２とを結ぶとともに突出部４２０が設けられている側に膨らみ且つ突出部４２０よりもパネル４００の外周縁４１０側を通るように設けられている。
【００１９】
また湾曲部４３３は、第１仮想線ＣＬ１と交わる箇所に頂部４３３Ａを有している。また本実施形態における缶蓋３００では、パネル４００のうち第１スコア線４３０により囲まれた領域内に、この第１スコア線４３０により囲まれた領域の剛性を高める補強用ビードＨＢが形成されている。また補強用ビードＨＢの一端部には、上方（飲料缶１００の外側）に向かって突出しタブ５００の先端により押圧されるエンボスＥＢが設けられている。このエンボスＥＢが設けられることによって、エンボスＥＢがない場合に比べ、第２スコア線４５０（詳細は後述）におけるパネル４００の破断が生じやすくなる。
【００２０】
ここで本実施形態では、ユーザによりタブ５００が操作されることで、第１スコア線４３０により囲まれた領域がタブ５００により押圧され、第１スコア線４３０が形成されている箇所にてパネル４００の破断が生じる。これにより、第１スコア線４３０が形成されている領域が舌片状となり、且つ、この領域が飲料缶１００の内部に向かって折れ曲がる。これにより、飲料缶１００に飲み口としての役割を果たす開口が形成される。なお本明細書では、第１スコア線４３０にて生じる破断により形成される上記舌片状の部位を舌片部と称する場合がある。また本実施形態では、第２スコア線４５０（詳細は後述）の湾曲部４５４（パネル４００の破断が最初に生じる箇所）がパネル４００の中心部ＣＰ側に寄せられて配置されている。このような場合、使用者は、飲用時、缶蓋３００に開口を形成するため、タブ５００を引き上げなければならない。そのため片手に缶体を持ち、他方の手でタブ５００を引き起こすことになる。このとき、タブ５００に力がかかるため、缶体を持つ手が不安定になり、缶体が傾いてしまうことがある。一般的に、缶内の内容物は、缶内に一部空間を空けて充填されている。内容物が液体の場合において、一定範囲内で缶体を傾けると、缶蓋外周縁に液面は到達するが、缶蓋中央には液面は到達しない。仮に、缶蓋中央に液面が到達するほど傾けたとしても、缶蓋中央における液面からの深さは、缶蓋外周縁における液面の深さより浅い。このため、パネル４００の外周縁４１０側にてパネル４００の破断が最初に生じる場合に比べ、パネル４００の中心部ＣＰ側にて破断が最初に生じる場合は、内部の飲料がこぼれにくくなる。
【００２１】
また本実施形態では、パネル４００の表面であって第１スコア線４３０により囲まれた領域内に、第２スコア線４５０が形成されている。なおこの第２スコア線４５０も、パネル４００の表面に形成された溝により構成されており、パネル４００の破断を誘導する役割を果たす。第２スコア線４５０は、第２仮想線ＣＬ２を挟み相対する２つの領域のうちの、頂部４３３Ａ（第１スコア線４３０の頂部４３３Ａ）が設けられている領域内に設けられている。
【００２２】
また第２スコア線４５０は、一端部４５１および他端部４５２を有している。ここで第２スコア線４５０の他端部４５２は、第１スコア線４３０の湾曲部４３３に接続されている。このため、本実施形態では、第１スコア線４３０と第２スコア線４５０とが接続する箇所にて、スコア線が分岐するようになっている。なお本実施形態では、一端部４３１、他端部４３２、一端部４５１の３つの端部がスコア線に設けられた状態となっている。
【００２３】
第２スコア線４５０についてさらに説明すると、第２スコア線４５０の他端部４５２は、第１スコア線４３０の湾曲部４３３のうちの第１仮想線ＣＬ１と第２仮想線ＣＬ２との間に位置する部位に接続されている。さらに詳細に説明すると、第２スコア線４５０の他端部４５２は、第１スコア線４３０のうちの頂部４３３Ａと他端部４３２との間に位置する部位に接続されている。また第２スコア線４５０は、第１スコア線４３０との接続部から、第１スコア線４３０により囲まれている領域内に向かうように設けられている。
【００２４】
また本実施形態では、第１スコア線４３０と第２スコア線４５０との接続部と第１スコア線４３０の一端部４３１との距離の方が、接続部と第１スコア線４３０の他端部４３２との距離よりも長くなっている。付言すると、第１スコア線４３０のうちの一端部４３１と上記接続部との間に位置する部位の長さの方が、第１スコア線４３０のうちの他端部４３２と上記接続部との間に位置する部位の長さよりも長くなっている。なお本実施形態では、図中右下方向に向かうように第２スコア線４５０が設けられている場合を説明したが、第２スコア線４５０は、図中左下方向に向かうように設けてもよい。この場合、第２スコア線４５０は、第１スコア線４３０のうちの頂部４３３Ａと一端部４３１との間に位置する部位に接続されることになる。
【００２５】
一方、第２スコア線４５０の一端部４５１は、突出部４２０の近傍に設けられている。さらに説明すると、第２スコア線４５０の一端部４５１は、第１仮想線ＣＬ１を挟んで相対する２つの領域のうちの一方の領域側に配置され、第２スコア線４５０の他端部４５２はこの２つの領域のうちの他方の領域側に配置されている。さらに説明すると、第２スコア線４５０は、他端部４５２から突出部４２０に向かう直線部４５３を有している。さらに、この直線部４５３に接続されるとともに円柱状に形成された突出部４２０との間に距離を有して配置され且つ突出部４２０に沿うように設けられた湾曲部４５４を有している。
【００２６】
ここで湾曲部４５４は、突出部４２０と第１スコア線４３０との間に形成されている。より詳細には、第１スコア線４３０の頂部４３３Ａと突出部４２０との間に形成されている。付言すると、第１仮想線ＣＬ１上において、突出部４２０と第１スコア線４３０との間に、第２スコア線４５０の湾曲部４５４が配置されている。
【００２７】
また湾曲部４５４は、上記領域ＲＡと突出部４２０との間を通過するように設けられている。付言すると、本実施形態では、上記領域ＲＡよりも突出部４２０（リベット９００）が設けられている側を通るように第２スコア線４５０が設けられるとともに、この第２スコア線４５０は、上記領域ＲＡと突出部４２０との間を通過するように設けられている。
【００２８】
また本実施形態では、第２スコア線４５０の湾曲部４５４は、タブ５００により押圧される領域ＲＡと突出部４２０とを通る第１仮想線ＣＬ１（領域ＲＡと突出部４２０とを通る直線）と交差するように設けられている。さらに説明すると、本実施形態における第２スコア線４５０は、領域ＲＡと突出部４２０との間を通過した後、第１仮想線ＣＬ１と交差する方向に向かって進行し、第１スコア線４３０に接続される。付言すると、本実施形態における第２スコア線４５０は、第１仮想線ＣＬ１の配設方向と交差する方向に延びるように形成されている。さらに説明すると、第２スコア線４５０は、タブ５００（図１参照）の配設方向である一方向と交差する方向に向かって延びるように形成されている。
【００２９】
さらに説明すると、第１仮想線ＣＬ１と交差する方向に向かって進行する第２スコア線４５０は、領域ＲＡが位置する側および突出部４２０が設けられている側のうちの領域ＲＡが位置する側に次第に近づくように進行を行う。より具体的には、領域ＲＡが位置する側に、第２スコア線４５０の直線部４５３が次第に近づくように、第２スコア線４５０は第１スコア線４３０に向かって進んでいく。
【００３０】
さらに説明すると、第２スコア線４５０は、領域ＲＡと突出部４２０との間を通過した後、第２仮想線ＣＬ２から次第に離れるように進行し、第１スコア線４３０に接続される。付言すると、第２スコア線４５０は、領域ＲＡと突出部４２０との間を通過した後、第１スコア線４３０の頂部４３３Ａとパネル４００の中心部ＣＰとを通る直線に直交する直線であって突出部４２０を通る直線である第２仮想線ＣＬ２から次第に離れるように進行し、第１スコア線４３０に接続される。さらに説明すると、第２スコア線４５０は、突出部４２０（リベット９００）を通る直線であってタブ５００（図１参照）の配設方向である一方向と直交する方向に向かう直線である第２仮想線ＣＬ２から次第に離れるように進行し、第１スコア線４３０に接続される。
【００３１】
ここで図３（パネル４００の状態を説明するための図）も参照しながら、タブ５００が操作された際のパネル４００の状態を説明する。なお、図３では、パネル４００を正面から眺めた場合の状態、および、パネル４００を側方から眺めた場合の状態を図示している。
【００３２】
本実施形態では、タブ５００の後端部がユーザにより持ちあげられた際、タブ５００の先端部（タブノーズ）５１０（図１参照）が、第２スコア線４５０の湾曲部４５４と第１スコア線４３０の頂部４３３Ａとの間に位置する上記領域ＲＡ（図２−１参照）を押圧する。そして領域ＲＡがタブ５００により押圧されると、まず、この領域ＲＡとリベット９００（突出部４２０）との間を通過するように設けられた第２スコア線４５０の湾曲部４５４にてパネル４００が破断する（図３の（Ｂ）参照）。なお本実施形態では、タブ５００とパネル４００とのなす角度が約１５°となったときに湾曲部４５４にて破断が生じるようになっている。その後、第２スコア線４５０に沿ってパネル４００の破断が進行し、第１スコア線４３０と第２スコア線４５０との接続部まで、パネル４００が破断した状態となる。
【００３３】
ここで本実施形態では、第１スコア線４３０と第２スコア線４５０との上記接続部にて、スコア線が分岐した状態となっている。このため、第２スコア線４５０の上記湾曲部４５４から上記接続部までパネル４００の破断が進行した後、本実施形態では、図３の（Ｃ）に示すように、接続部から第１スコア線４３０の一端部４３１に向かう破断が進行する。また、図３の（Ｄ）に示すように、接続部から第１スコア線４３０の他端部４３２に向かう破断も進行する。なお本実施形態では、接続部から一端部４３１に向かう上記破断は、タブ５００とパネル４００とのなす角度が約５０°となったときに生じるようになっている。また、接続部から他端部４３２に向かう上記破断は、タブ５００とパネル４００とのなす角度が約６０°となったときに生じるようになっている。
【００３４】
その後、タブ５００の後端部がユーザにより更に持ち上げられることで、第１スコア線４３０の一端部４３１および他端部４３２までパネル４００の破断がさらに進行する。これにより、第１スコア線４３０により囲まれていた領域が上述した舌片部となる。また、舌片部の根元（第１スコア線４３０の一端部４３１と他端部４３２との間に位置する箇所）にて舌片部は折り曲げられ、図３（Ｅ）に示すように、舌片部は飲料缶１００の内部に進入する。これにより飲料缶１００には飲み口として機能する開口が形成される。なお詳細は後述するが、引き起こされたタブ５００が元の状態に戻される際には、図３（Ｆ）に示すように、タブ５００が折れ曲がる。
【００３５】
ここで、第１スコア線４３０および第２スコア線４５０にて生じるパネル４００の破断について、図４（パネル４００にて生じる破断を説明するための図）を参照しながら更に説明する。本実施形態では、上記のとおり、タブ５００の後端部がユーザにより持ちあげられることにより、第２スコア線４５０の湾曲部４５４と第１スコア線４３０の頂部４３３Ａとの間に位置する上記領域ＲＡ（図２−１参照）がタブ５００により押圧される。付言すると、第１スコア線４３０により囲まれている領域のうち、第２スコア線４５０よりも第１スコア線４３０の頂部４３３Ａ側の位置する領域がタブ５００に押圧される。これにより、まず、第２スコア線４５０の湾曲部４５４にてパネル４００が破断する。その後、第２スコア線４５０に沿ってパネル４００の破断が進行し、第１スコア線４３０と第２スコア線４５０との接続部（交点）まで破断が進行する。
【００３６】
その後、タブ５００の先端部５１０がパネル４００のうちの領域ＲＡ（図２−１参照）を更に押圧することで、第１スコア線４３０に沿ってパネル４００の破断が進行し、図４の符号４Ｃに示す箇所までパネル４００の破断が生じた状態となる。付言すると、突出部４２０を通る第２仮想線ＣＬ２（図２−１参照）と第１スコア線４３０とが交わる箇所あたりまで、パネル４００の破断が生じた状態となる。これにより、図４における領域４Ａに、開口が形成される。付言すると、第２スコア線４５０におけるパネル４００の破断、および、第１スコア線４３０のうちの上記接続部よりも一端部４３１側に位置する部位におけるパネル４００の破断により、パネル４００の一部に小さい開口（以下、「小開口」と称する）が形成される。
【００３７】
次いで本実施形態では、タブ５００の後端部がユーザによりさらに持ちあげられることで、タブ５００の先端部５１０が上記小開口を通じ、飲料缶１００の内部に進入するようになる。そしてこのとき、タブ５００が、図４の符号４Ｅに示す箇所を押圧するようになる。付言すると、小開口の縁部を押圧するようになる。さらに説明すると、パネル４００のうち、第２スコア線４５０が存在していた箇所の上方に位置する領域４Ｂを押圧するようになる。さらに説明すると、第１スコア線４３０のうち上記接続部よりも他端部４３２側に位置する部位と、第２スコア線４５０との間に位置する領域がタブ５００により押圧されるようになる。
【００３８】
これにより本実施形態では、第１スコア線４３０に沿ってパネル４００の破断が進行し、符号４Ｄに示す箇所までパネル４００が破断するようになる。付言すると、突出部４２０を通る第２仮想線ＣＬ２（図２−１参照）と第１スコア線４３０とが交わる箇所あたりまで、パネル４００の破断が生じた状態となる。さらに説明すると、第１スコア線４３０のうちの上記接続部よりも他端部４３２側に位置する部位にてパネル４００の破断が起こり、符号４Ｄに示す箇所までパネル４００が破断するようになる。なおユーザによるタブ５００の操作が開始されてから符号４Ｄに示す箇所までパネル４００の破断が進行するまでの間、後述する伸長部５６０は伸長途中にある。
【００３９】
その後、本実施形態では、タブ５００の後端部がユーザによりさらに持ちあげられることで、上記伸長部５６０が延びきった状態となり（伸長限に達し）、上記にて説明した舌片部に対して回転モーメントが作用するようになり（詳細は後述）、第１スコア線４３０にてパネル４００の破断がさらに生じるようになる。具体的には、第１スコア線４３０のうちの上記符号４Ｃに示す箇所と一端部４３１との間に位置する第１部位、および、第１スコア線４３０のうちの上記符号４Ｄに示す箇所と他端部４３２との間に位置する第２部位の両部位にて、パネル４００の破断が発生する。その後、上記のとおり、舌片部の根元（第１スコア線４３０の一端部４３１と他端部４３２との間に位置する箇所）にて舌片部は折り曲げられ、図３（Ｅ）に示したように、舌片部は飲料缶１００の内部に進入する。これにより飲料缶１００に開口が形成される。
【００４０】
なお本実施形態では、第１仮想線ＣＬ１を中心線として第１スコア線４３０は線対象となる関係で配置されている。このため、符号４Ｃに示す箇所から一端部４３１へ向かってのパネル４００の破断、および、符号４Ｄに示す箇所から他端部４３２へ向かってのパネル４００の破断は、ほぼ同じタイミングが発生する。付言すると、符号４Ｃに示す箇所から一端部４３１へ向かうパネル４００の破断、および、符号４Ｄに示す箇所から他端部４３２へ向かうパネル４００の破断が同時に進行していく。
【００４１】
ここで本実施形態では、上記のとおり、第２スコア線４５０にてパネル４００の破断がまず発生する。次いで、本実施形態では、第１スコア線４３０のうち、上記接続部と符号４Ｃに示す箇所との間に位置する部位にてパネル４００の破断が発生する。その後、第１スコア線４３０のうち、上記接続部と符号４Ｄに示す箇所との間に位置する部位にてパネル４００の破断が発生する。付言すると、本実施形態では、上記接続部から第１スコア線４３０の一端部４３１に向かってのパネル４００の破断、および、上記接続部から第１スコア線４３０の他端部４３２に向かってのパネル４００の破断が同時におこらず、時間的にずれた状態でパネル４００の破断が起こる。このため本実施形態では、タブ５００を引き上げ開口をパネル４００に形成する際のタブ５００の操作荷重が小さくなる。
【００４２】
さらに説明すると、本実施形態では、ユーザによりタブ５００が操作され、タブ５００の先端部５１０がパネル４００を押圧する際、この先端部５１０は、第２スコア線４５０よりも下方に位置する部位（第２スコア線４５０よりも頂部４３３Ａ側に位置する部位）を押圧し、第２スコア線４５０より上方に位置する部位を押圧しない。付言すると、本実施形態では、第２スコア線４５０よりも下方に位置する部位、および、第２スコア線４５０よりも上方に位置する部位の両者がタブ５００により同時に押圧される構成ではなく、第２スコア線４５０よりも下方に位置する部位のみにタブ５００が接触しこの部位のみがタブ５００により押圧される構成となっている。さらに説明すると、本実施形態では、上記領域４Ｂとタブ５００との接触が、パネル４００に対して上記小開口が形成された後に起こるようになっている。
【００４３】
このため本実施形態では、上記接続部から第１スコア線４３０の一端部４３１に向かってのパネル４００の破断、上記接続部から第１スコア線４３０の他端部４３２に向かってのパネル４００の破断が同時におこらず、時間的にずれた状態でパネル４００の破断が起こる。これにより、パネル４００の破断が同時に起こる場合に比べ、タブ５００を引き上げる際のタブ５００の操作荷重が小さくなる。
【００４４】
なお本実施形態では、符号４Ｃに示す箇所から一端部４３１へ向かってのパネル４００の破断、および、符号４Ｄに示す箇所から他端部４３２へ向かってのパネル４００の破断は、ほぼ同じタイミングが発生する。しかし、この場合の破断は、これ以前の破断とはプロセスが違っている。つまり、符号４Ｃ、符号４Ｄの破断は、タブ５００の先端部がパネル４００を缶内に押込むことにより、作用点であるタブ５００の先端部から一定の距離を置くスコアで破断を進行させている。しかし、符号４Ｃ、符号４Ｄの破断以降は、タブ５００に設けた伸長部５６０により、リベット９００を缶内に押込むモーメントを発生させることにより（詳細は後述）、一端部４３１及び他端部４３２に向って破断を進行させている。言い換えれば、リベット９００を作用点として、一端部４３１と他端部４３２の間の領域を屈曲部として破断を進行させている。さらに言えば、既に、符号４Ｃ及び符号４Ｄは破断しているため、リベット９００をこれから破断する領域の先端部と見ることもできる。つまり、破断しようとする領域の先端に荷重をかけて破断させるため、これまでより容易に破断を進行させることができる。このためこの場合は、タブ５００の操作荷重はあまり大きくならずタブ５００の操作性の低下は抑えられる。
【００４５】
なおパネル４００は、図２−２のように構成することもできる。
図２−２は、パネル４００の比較例を示した図である。
同図に示すように、比較例におけるパネル４００では、第１スコア線４３０の頂部４３３Ａに対して、第２スコア線４５０の他端部４５２が接続されている。また、第２スコア線４５０は、第１スコア線４３０の頂部４３３Ａから突出部４２０に向かうように形成されている。付言すると、第２スコア線４５０は、第１仮想線ＣＬ１に重なるように設けられている。さらに説明すると、第２スコア線４５０は、タブ５００の配設方向と交差する方向ではなくタブ５００の配設方向に沿った状態で形成されている。
【００４６】
ところでこのパネル４００においても、領域ＲＡがタブ５００により押圧されることとなるが、この比較例では、領域ＲＡから突出部４２０（リベット９００）にかけて第２スコア線４５０が設けられているため、タブ５００がパネル４００を押圧する際の押圧荷重が第２スコア線４５０の全体に亘って作用しやすくなる。そしてこの場合、ある一点に押圧荷重が集中して作用する場合に比べパネル４００の破断が生じにくくなり、破断を生じさせるのに要するタブ５００の操作荷重が増大しやすくなる。
【００４７】
一方で本実施形態における構成では、上記のとおり、第２スコア線４５０は、第１仮想線ＣＬ１の配設方向と交差するように設けられている。付言すると、第２スコア線４５０は、タブ５００の配設方向と交差する方向に向かうように形成されている。この結果、本実施形態では、図２−１に示したとおり、第２スコア線４５０の一端部４５１側が領域ＲＡの近傍に配置されるが、他端部４５２側は、領域ＲＡから離れた箇所に位置するようになる。このため本実施形態では、第２スコア線４５０の一端部４５１側に対して荷重が集中的に作用しやすくなり、パネル４００に破断を生じさせるのに要するタブ５００の操作荷重が、上記比較例の場合よりも小さくなる。
また、図２−２に示した比較例では、スコア線の破断は、他端部４５２に達した後、一方は一端部４３１に向う第１スコア線４３０の破断を進行させ、他方は他端部４３２に向う第１スコア線４３０の破断を進行させる。つまり、第１スコア線４３０の破断が同時に２個所で進行することになる。これは、１箇所で第１スコア線４３０の破断を進行させる場合に比べ荷重は２倍必要になる。そしてこの場合、１箇所で破断を進行させる場合に比べ、パネル４００の破断が生じにくくなり、破断を生じさせるのに要するタブ５００の操作荷重が増大しやすくなる。
【００４８】
なお上記では説明を省略したが、本実施形態では、図２−１に示したように、領域ＲＡから外れた箇所（領域ＲＡ以外の箇所）を通るように第２スコア線４５０が設けられている。より具体的には、領域ＲＡと突出部４２０（リベット９００）との間を通過するように第２スコア線４５０が設けられている。この場合、第２スコア線４５０に対してせん断力が作用するようになり、パネル４００の破断が生じやすくなる。なおこのような形態に限られず、領域ＲＡ内を通過するように第２スコア線４５０を設けることもできる。この場合は、第２スコア線４５０がタブ５００により直接押圧されパネル４００が屈曲することでパネル４００の破断が生じる。
【００４９】
図５は、タブ５００が取り付けられた状態のパネル４００の状態を示した図である。なお本図では、図１（Ａ）にて示したタブ５００が取り付けられた際の状態を示している。同図に示すように、本実施形態では、符号４Ｅに示す箇所（第２スコア線４５０よりも上方に位置する部位を破断するときにタブ５００により押圧される箇所）と上記接続部との距離が小さくなっている。付言すると、タブ５００からの荷重が作用する荷重作用点と上記接続部との距離が小さくなっている。このため本実施形態では、符号４Ｅに示す箇所と上記接続部との距離が大きい場合に比べ、接続部から上方（他端部４３２）に向かってのパネル４００の破断が生じやすくなる。そしてこの場合、タブ５００の操作荷重が小さくなる。
【００５０】
なお上記では説明を省略したが、本実施形態では、図２−１に示すように、第１スコア線４３０の一端部４３１と他端部４３２との間に位置する領域に、溝６００が設けられている。この溝６００は、円弧を描き湾曲して形成されるとともに第１スコア線４３０の一端部４３１が設けられている側から他端部４３２が設けられている側に向かうように設けられている。付言すると、第２仮想線ＣＬ２（第３仮想線ＣＬ３）に沿うように設けられている。このため本実施形態における飲料缶１００では、舌片部の折れ曲がりが生じやすくなっている。また本実施形態では、溝６００が湾曲して形成されているため、曲がった舌片部が元の状態に戻りにくくなっている。なお溝６００は必ずしも必要ではなく溝６００は省略することもできる。
【００５１】
また上記では、パネル４００のうちのタブ５００により押圧される領域ＲＡと突出部４２０との間を通過するように第２スコア線４５０が設けられている場合を例示したが、第２スコア線４５０の配置態様はこのような態様に限られない。例えば、図６（パネル４００の他の構成例を示した図）に示すように、領域ＲＡと突出部４２０との間を通過しない第２スコア線４５０を設けることもできる。さらに上記では、第２スコア線４５０が略直線で記載されているが、直線に限定されるものではなく、曲線その他の線であっても構わない。
【００５２】
次にタブ５００について詳細に説明する。
図７および図８は、タブ５００を説明するための図である。また図９は、ユーザによりタブ５００が操作されパネル４００に開口が形成された際の状態を示した図である。なお図７（Ａ）はタブ５００の正面図であり、同図（Ｂ）は同図（Ａ）の矢印ＶＩＩＢ方向からタブ５００を眺めた場合の図である。また、同図（Ｃ）はタブ５００の背面図である。付言すると、パネル４００と対向する対向面側からタブ５００を眺めた場合の図である。また同図（Ｄ）は、同図（Ａ）の矢印ＶＩＩＤ方向からタブ５００を眺めた場合の図である。また図８（Ａ）はタブ５００に設けられた伸長部５６０を説明するための図であり、同図（Ｂ）はタブ５００が引き起こされた際の状態を示した図である。
【００５３】
本実施形態におけるタブ５００は、図７（Ａ）に示すように、板状に形成され且つ矩形状に形成されたタブ本体部５２０を有している。なお本実施形態では、同図（Ｄ）に示すように、このタブ本体部５２０の外周縁に対して曲げ加工（カール加工）が施され、タブ本体部５２０の外周縁が内側にカールした状態となっている。付言すると、タブ本体部５２０に四方に設けられている縁部には、カール部が形成されている。これにより本実施形態のタブ５００は曲げ剛性が高められている。さらにタブ５００には、パネル４００を押圧する先端部５１０が設けられている側とは反対側（タブテール側）に、ユーザの指が引っ掛けられる貫通孔（フィンガーホール）５３０が形成されている。
【００５４】
またタブ５００には、タブ５００の先端部５１０側に、パネル４００に設けられた突出部４２０（図２−１参照）が挿入される挿入孔５４０が形成されている。さらに、タブ５００の長手方向に沿った長穴５５０が、タブ５００の先端部５１０側に形成されている。ここで、この長穴５５０は、タブ５００の幅方向（長手方向と直交する方向）において、２つ並んだ状態で設けられている。なお本実施形態では、この２つの長穴５５０の間に挿入孔５４０が設けられている。また、挿入孔５４０よりもタブ５００の後端側であって、上記２つの長穴５５０の間に位置する領域には、伸長部５６０が形成されている。
【００５５】
ここで伸長部５６０では、図８（Ａ）に示すように、板状に形成された上記タブ本体部５２０（図７（Ａ）参照）に対して曲げ加工が施されており、伸長部５６０には、互いに交差する関係の第１片部５６１および第２片部５６２が設けられている。付言すると、伸長部５６０には、タブ本体部５２０を構成する板部材が屈曲した屈曲部が形成された状態となっている。ここで第１片部５６１は、タブ５００の後端部に向かうに従いパネル４００から離れるように配置されている。また第２片部５６２は、第１片部５６１に前端部が接続されタブ５００の後端部に向かうに従いパネル４００に接近するように配置されている。
【００５６】
また図７（Ａ）を参照してタブ５００についてさらに説明を行うと、タブ本体部５２０の四方に設けられた４つのカール部のうちタブ５００の長手方向に沿って設けられたカール部には第１スリット５２１が形成されている。また４つのカール部のうちタブ５００の長手方向に沿って設けられたもう一つのカール部には、第２スリット５２２が形成されている。さらに、タブ本体部５２０のうち第１スリット５２１と第２スリット５２２との間に位置する部位には、溝５２３が形成されている。
【００５７】
ここで、第１スリット５２１、第２スリット５２２、溝５２３は、互いに接続され連続した状態で設けられている。また、第１スリット５２１、第２スリット５２２、溝５２３は、タブ５００の幅方向に沿って設けられている。また、第１スリット５２１、第２スリット５２２、溝５２３は、挿入孔５４０と貫通孔５３０との間に配置されている。ここで本実施形態では、このように第１スリット５２１、第２スリット５２２、溝５２３が形成されており、これらが形成された部分の剛性（曲げ剛性）が低下している。
【００５８】
このため、図７（Ｂ）に示すように、タブ５００の後端部側に荷重を加えるとタブ５００が折れ曲がるようになる。付言するとタブ５００が屈曲するようになる。なお本実施形態では、第１スリット５２１と第２スリット５２２との間に溝５２３を形成してこの部分の剛性を低下させたが、このような溝５２３に限らず、例えば曲げ加工を施すことで剛性を低下させることができる。また溝５２３は必ずしも必要ではなく溝５２３は省略することもできる。
【００５９】
次にタブ５００が操作された際の各部の状態を説明する。
ユーザによりタブ５００が操作される際には、タブ５００の後端部とパネル４００との間にユーザの指が挿入され、図８（Ｂ）に示すように、タブ５００が引き起こされる。ここでこの際、まず、第１片部５６１と第２片部５６２とにより形成された伸長部５６０が延びるようになる。付言すると、第１片部５６１と第２片部５６２とによって折れ曲がった状態にあった伸長部５６０が直線状となり、伸長部５６０が伸びるようになる。そして、伸長部５６０が伸びきると、伸長部５６０からリベット９００に荷重が伝わるようになり、リベット９００を上方に引っ張り上げようとする力がリベット９００に作用する。
【００６０】
その一方で、タブ５００の先端部５１０がパネル４００に接触しており、パネル４００を下方に向かって押圧する力がパネル４００に作用する。これにより、タブ５００の先端部５１０とリベット９００との間に位置する、第２スコア線４５０の湾曲部４５４（図２−１参照）にて、パネル４００の破断が発生する。その後、上記にて説明したように、第２スコア線４５０に沿って破断が進行し、次いで、第１スコア線４３０に沿って破断が進行する。これにより、第１スコア線４３０により囲まれていた領域に舌片部が形成される。また、第１スコア線４３０により囲まれていた領域に開口が形成される。
【００６１】
また上記のように、伸長部５６０が伸び伸長部５６０からリベット９００に荷重が伝わるようになると、図８（Ｂ）の矢印４Ａに示すような回転モーメントが舌片部に作用する。これにより、舌片部の根元を中心として舌片部が回転し、この根元にて舌片部の折れ曲がりが生じる。また、この折れ曲がりによって舌片部が飲料缶１００の内部に進入していく。さらに、舌片部の飲料缶１００の内部への進入により、図９（Ａ）に示すように、タブ５００の先端部側が飲料缶１００の内部へ入り込む。
【００６２】
なお図９（Ａ）は、タブ５００が起立しパネル４００とタブ５００とが直交している状態を示している。その後、引き起こされたタブ５００がユーザにより元の状態に戻されることとなるが、この際、上記にて説明した、第１スリット５２１、第２スリット５２２、および溝５２３にて、タブ５００の折れ曲がりが生じるようになる。この結果、図９（Ｂ）に示すように、タブ５００の後端部側がパネル４００に沿うようになる。その一方で、タブ５００の先端部側は飲料缶１００の内部に入り込んだ状態となる。
【００６３】
ここで飲料缶１００の直径を小さくしたい場合（パネル４００が小さくなる場合）、第１スコア線４３０により囲まれた領域（開口となる領域、舌片部となる領域）とタブ５００とを接近させて配置する必要が生じる。ところでこの場合、第１スコア線４３０により囲まれた領域とタブ５００とが重なる領域の面積が大きくなる。また開口（飲み口）を大きくした場合にも、第１スコア線４３０により囲まれた領域とタブ５００とが重なる領域の面積が大きくなる。ところでこの場合、第１スコア線４３０と重なったタブ５００の一部が開口の一部を塞いでしまうため、内部の飲料が出にくくなったりしユーザは飲料を飲みにくくなる。このため本実施形態では、上記のように、タブ５００のうち飲み口と重なる部分（舌片部と重なる部分）を開口後の飲用時でも飲料缶１００の内部に入り込ませた状態を保持する構成としている。この場合、開口の面積が大きくなり、タブ５００の先端側が飲料缶１００の内部に入り込まない構成に比べ、ユーザは内部の飲料を飲みやすくなる。
【００６４】
なお図１０（缶蓋３００の他の構成例を示した図）に示すように、リベット９００により固定される部位の周囲にスリット７００が設けられたタブ５００が使用されることも多い。ところでこのようなタブ５００を図２−１にて示したパネル４００に取り付けた場合、スリット７００が設けられているためにリベット９００を上方に引き上げる力（引っ張る力）（図８（Ｂ）の符号４Ｂ参照）はリベット９００に働かず、図８（Ｂ）の矢印４Ａで示した回転モーメントはかからなくなる。そしてこの場合、舌片部の根元での舌片部の折れ曲がりが生じにくくなる。付言するとリベット９００が設けられている箇所にて舌片部の折れ曲がりが生じるようになるが、舌片部の根元での舌片部の折れ曲がりは生じにくくなる。そしてこの場合、パネル４００に形成される開口が小さいものとなってしまう。
【００６５】
このため本実施形態では、タブ５００のうちリベット９００の後方に位置する部位と、このリベット９００とを伸長部５６０で接続する構成としている。この構成によって、リベット９００を上方に引き上げる力が大きくなり、舌片部に作用する回転モーメントが大きくなる。これにより、舌片部の根元にて舌片部の曲がりが生じ舌片部の全体が飲料缶１００の内部に進入するようになる。
【００６６】
なお伸長部５６０を設けない構成であっても上記回転モーメントを大きくすることができる。例えば、タブ５００のうちのリベット９００の後方に位置する部位と、このリベット９００とを、上記伸長部５６０を設けないで、単に接続するだけでも、回転モーメントは大きくなる。しかしながらこの場合、タブ５００を引き起こす際の操作性が低下してしまう。
【００６７】
より具体的に説明すると、通常、タブ５００を引き起こす際には、タブ５００とパネル４００との間に指が入れられたうえでタブ５００の引き起こしが行われる。ところで、上記のように、リベット９００の後方に位置する部位とリベット９００とを接続した場合、タブ５００の変位（タブ５００の後端部の上方への変位）がリベット９００により規制され、タブ５００の変位が起こりにくくなってしまう。そしてこの場合、ユーザの指がパネル４００とタブ５００との間に入りこみにくくなり、タブ５００を引き起こす際の操作性が低下する。
【００６８】
このため本実施形態では、伸長部５６０を設ける構成としている。このように伸長部５６０を設けた場合、タブ５００が予め定められた所定の角度（例えば６０°）となるまでは伸長部５６０が伸びるようになり、タブ５００がこの予め定められた所定の角度となるまで、タブ５００の変位のリベット９００による規制がなされにくくなる。そしてこのように規制がなされにくくなると、タブ５００とパネル４００との間に指が入りやすくなる。この結果、本実施形態の構成では、タブ５００を引き起こす際の操作性の低下が抑制される。
【００６９】
なお図２−１にて示した溝６００の形状に特に制限はないが、溝６００は、図１１に示す形状で形成することができる。図１１は、溝６００の形状の一例を示した図である。溝６００は、例えば、同図（Ａ）に示すように、パネル４００の表面と略直交する関係を有する第１側面６２１、第２側面６２２、および、第１側面６２１と第２側面６２２とを接続する平坦な底面６２３とを有する形状で形成することができる。なお溝６００の底部には、同図（Ｂ）に示すように曲率を付与してもよい。また溝６００は、同図（Ｃ）に示すように、断面が三角形となる形状で形成することもできる。なお、上記では、溝６００を形成することで、舌片部の根元の剛性を低下させたが、同図（Ｄ）に示すように、曲げ加工を舌片部の根元に対して施すことで、剛性を低下させることもできる。
【００７０】
図１２は、パネル４００の比較例を示した図である。
図１２に示すパネル４００では、上記にて説明した第２スコア線４５０は設けられていない。また本パネル４００では、上記第１スコア線４３０に相当するスコア線４６０が設けられている。ここで、図２−１にて示した第１スコア線４３０は、第１仮想線ＣＬ１を中心として線対象となる関係で形成されていたが、本実施形態におけるスコア線４６０は、線対象となる関係で配置されていない。
【００７１】
ここでスコア線４６０は、上記第１スコア線４３０と同様に、一端部４６１および他端部４６２を有している。また、一端部４６１からスコア線４６０の頂部４６０Ａにかけての形状は、上記第１スコア線４３０における一端部４３１から頂部４３３Ａ（図２−１参照）にかけての形状と同じとなっている。その一方で、頂部４６０Ａから他端部４６２にかけての形状は、第１スコア線４３０の頂部４３３Ａから他端部４３２にかけての形状とは異なっている。
【００７２】
より具体的に説明すると、スコア線４６０の他端部４６２は、突出部４２０の近傍に設けられている。またこの他端部４６２は、第１仮想線ＣＬ１を挟んで相対する２つの領域のうち、一端部４６１が設けられている領域内に設けられている。そして本実施形態では、この他端部４６２を始点とし一端部４６１を終点としてスコア線４６０が延びている。より詳細に説明すると、他端部４６２を出発点として、スコア線４６０は、まず、突出部４２０と頂部４６０Ａとの間を通過する。
【００７３】
その後、スコア線４６０は、突出部４２０の周囲を且つスコア線４６０の頂部４６０Ａが設けられている側とは反対側に向かって進行していく。その後、スコア線４６０は、屈曲し、その進行方向を逆転する。より詳細に説明すると、突出部４２０から離れる方向且つパネル４００の外周縁４１０に向かう方向に向かって円弧を描きながら進行する。さらにスコア線４６０は、スコア線４６０の頂部４６０Ａに向かって進行していく。そして最後に、スコア線４６０は一端部４６１に到達する。なお、スコア線４６０のうち上記屈曲する部位を、本明細書では、以下「屈曲部」と称する。
【００７４】
ここでタブ５００が操作され飲料缶１００に開口が形成される際には、上記と同様、スコア線４６０のうち突出部４２０とスコア線４６０の頂部４６０Ａとの間に位置する部位にて、パネル４００の破断が生じる。その後、パネル４００の破断が、スコア線４６０の頂部４６０Ａを経由してスコア線４６０の上記一端部４６１まで進行していく。これにより上記と同様、舌片部が形成され、飲み口となる開口がパネル４００に形成される。ここで図１２にて示したスコア線４６０では、上記のとおり屈曲部が形成されている。このため、上記図２−１にて示したパネル４００の方が、図１２で示したパネル４００よりも、パネル４００の破断が進行しやすくなっている。
【００７５】
さらに説明すると、パネル４００とタブ５００を大きくしないで、開口を大きくするには、突出部４２０を通る第２仮想線ＣＬ２に対し、スコア線４６０の頂部４６０Ａが設けられている側と反対側にまでスコア線４６０を延ばすことになる。例えば、図１２のように、突出部４２０が舌片部の根元ではなく舌片部の中央部に設けられ、且つ、第２スコア線４５０を設けず上記スコア線４６０のように一つのスコア線のみが設けられる場合、上記のように屈曲部が形成されてしまう。そしてこのように屈曲部が形成されると、パネル４００の破断が進行しにくい状況となる。一方、図２−１に示した本実施形態の構成では、図１２と同様、突出部４２０が舌片部の中央部に設けられているが、第２スコア線４５０が設けられているために、上記のような屈曲部が形成されないようになっている。このため本実施形態の構成では、突出部４２０が舌片部の中央部に設けられているにも関わらず、パネル４００の破断が進行しやすくなっている。
【００７６】
また図１２に示した態様では、タブ５００からの荷重がパネル４００に作用する荷重作用点（上記領域ＲＡに相当）と、スコア線４６０との離間距離が、他端部４６２から上記屈曲部に向けてスコア線４６０が進行するのに従い大きくなる。そしてこのように離間距離が大きくなると、スコア線４６０に対して荷重が作用しにくくなり、パネル４００の破断が生じにくくなる。そしてこの場合、パネル４００に開口を形成する際のタブ５００の操作荷重が増大することとなる。
【００７７】
一方で、本実施形態における構成では、図２−１に示すように、第１スコア線４３０の一端部４３１や他端部４３２に対して第２スコア線４５０が接続せず、第１スコア線４３０のうちの一端部４３１と他端部４３２との間に位置する部位に対して、第２スコア線４５０が接続する構成となっており、図１２に示した態様に比べ、上記荷重作用点とスコア線との離間距離が小さくなる。このため本実施形態の構成では、図１２にて示した態様に比して、パネル４００に開口を形成する際のタブ５００の操作荷重が小さくなる。
【００７８】
なお本実施形態では、図２−１にて示したように、第２仮想線ＣＬ２から次第に離れるように第２スコア線４５０が設けられた場合を一例に説明したが、第１スコア線４３０のうちの一端部４３１と他端部４３２との間に位置する部位に第２スコア線４５０が接続する構成であれば、図１２の態様に比べ、スコア線の破断は進行しやすくなり、パネル４００に開口を形成する際のタブ５００の操作荷重は小さくなる。
【００７９】
例えば、突出部４２０が設けられている側に第２スコア線４５０が次第に近づくように第２スコア線４５０が進行を行う場合（第３仮想線ＣＬ３に次第に近づくように進行を行う場合）であっても、一端部４３１と他端部４３２との間に位置する上記部位に第２スコア線４５０が接続する構成であれば、図１２の態様に比べ、スコア線の破断は進行しやすくなる。そしてこの場合、図１２の態様に比べタブ５００の操作荷重は小さくなる。
【００８０】
なおスコア線の破断をより円滑に進行させタブの５００の操作荷重をより低減させる場合には、図２−１に示したように、第２仮想線ＣＬ２から次第に離れるように第２スコア線４５０を設けることが好ましくなる。付言すると、図２−１に示したように、第２仮想線ＣＬ２から次第に離れるように第２スコア線４５０を設けた場合、第３仮想線ＣＬ３に次第に近づくように第２スコア線４５０を設けた場合に比べ、パネル４００のうちのタブ５００により押圧される領域ＲＡに対して、第２スコア線４５０がより近づくようになる。そしてこの場合、第３仮想線ＣＬ３に次第に近づくように第２スコア線４５０を設けた場合に比べ、スコア線の破断は進行しやすくなり、タブ５００の操作荷重が小さくなる。
【符号の説明】
【００８１】
１００…飲料缶、２００…容器本体（缶胴）、３００…缶蓋、４００…パネル、４３０…第１スコア線、４３１…一端部、４３２…他端部、４３３Ａ…頂部、４５０…第２スコア線、４５１…一端部、４５２…他端部、５００…タブ、９００…リベット
【図１】
0005646362.tif 000002
【図２−１】
0005646362.tif 000003
【図２−２】
0005646362.tif 000004
【図３】
0005646362.tif 000005
【図４】
0005646362.tif 000006
【図５】
0005646362.tif 000007
【図６】
0005646362.tif 000008
【図７】
0005646362.tif 000009
【図８】
0005646362.tif 000010
【図９】
0005646362.tif 000011
【図１０】
0005646362.tif 000012
【図１１】
0005646362.tif 000013
【図１２】
0005646362.tif 000014